(57)【要約】【課題】接眼部の視度を自動で調整すること。【解決手段】視度調整システム１０は、接眼部を有する光学装置２０の視度調整システムであって、光学装置２０と、眼鏡２に付され、眼鏡２の使用者１が眼鏡２を装用した状態で接眼部に接眼する際の視度に関する視度情報を記憶する記憶媒体３０と、を備え、光学装置２０は、眼鏡２と光学装置２０とが近接した場合に、記憶媒体３０から視度情報を取得する通信手段と、通信手段により取得された視度情報に基づいて接眼部の視度を調整する視度調整手段と、を有する。【選択図】図１
2014232158.tif 000002
【特許請求の範囲】
【請求項１】
接眼部を有する光学装置の視度調整システムであって、
前記光学装置と、
眼鏡に付され、前記眼鏡の使用者が前記眼鏡を装用した状態で前記接眼部に接眼する際の視度に関する視度情報を記憶する記憶媒体と、
を備え、
前記光学装置は、
前記眼鏡と前記光学装置とが近接した場合に、前記記憶媒体から前記視度情報を取得する通信手段と、
前記通信手段により取得された視度情報に基づいて前記接眼部の視度を調整する視度調整手段と、
を有することを特徴とする視度調整システム。
【請求項２】
請求項１に記載の視度調整システムにおいて、
前記光学装置は、使用者が前記接眼部の視度を調整するための操作部材をさらに有し、
前記通信手段は、前記操作部材により調整された前記接眼部の視度を、前記視度情報として前記記憶媒体に書き込むことを特徴とする視度調整システム。
【請求項３】
請求項１または２に記載の視度調整システムにおいて、
前記光学装置は、前記接眼部の視度について所定の設定値を記憶する記憶手段をさらに有し、
前記視度調整手段は、前記通信手段により前記視度情報が取得された場合には、前記視度情報に基づいて前記接眼部の視度を調整し、前記通信手段により前記視度情報が取得されない場合には、前記設定値に基づいて前記接眼部の視度を調整することを特徴とする視度調整システム。
【請求項４】
請求項１〜３のいずれか一項に記載の視度調整システムにおいて、
前記記憶媒体は、前記使用者の色弱に関する色弱情報をさらに記憶し、
前記光学装置の前記通信手段は、前記眼鏡と前記光学装置とが近接した場合に、前記記憶媒体から前記色弱情報をさらに取得し、
前記光学装置は、前記通信手段により取得された色弱情報に基づいて前記接眼部内の表示手段に表示される情報の色を調整する色調整手段をさらに備えることを特徴とする視度調整システム。
【請求項５】
請求項１〜４のいずれか一項に記載の視度調整システムにおいて、
前記記憶媒体は、前記光学装置が有する機能に係る設定に関する設定情報をさらに記憶し、
前記光学装置の前記通信手段は、前記眼鏡と前記光学装置とが近接した場合に、前記記憶媒体から前記設定情報をさらに取得し、
前記光学装置は、前記通信手段により取得された設定情報に基づいて前記光学装置が有する機能に係る設定を行う設定手段をさらに備えることを特徴とする視度調整システム。
【請求項６】
ファインダを有するカメラの視度調整システムであって、
前記カメラと、
眼鏡に付され、前記眼鏡の使用者が前記眼鏡を装用した状態で前記ファインダに接眼する際の視度に関する視度情報を記憶する記憶媒体と、
を備え、
前記カメラは、
前記眼鏡と前記カメラとが近接した場合に、前記記憶媒体から前記視度情報を取得する通信手段と、
前記通信手段により取得された視度情報に基づいて前記ファインダの視度を調整する視度調整手段と、
を有することを特徴とする視度調整システム。
【発明の詳細な説明】
【技術分野】
【０００１】
本発明は、視度調整システムに関する。
【背景技術】
【０００２】
視度調整ダイヤルを操作することで、ファインダの視度を調整可能なデジタルカメラが知られている（特許文献１参照）。
【先行技術文献】
【特許文献】
【０００３】
【特許文献１】特開２０１１−０８５８７２号公報
【発明の概要】
【発明が解決しようとする課題】
【０００４】
複数種類の眼鏡を使用する使用者の場合、上述した従来のデジタルカメラでは、装用する眼鏡を変えるたびに視度調整ダイヤルを操作してファインダの視度を調整しなければならず、手間がかかってしまっていた。
【課題を解決するための手段】
【０００５】
請求項１に記載の発明による視度調整システムは、接眼部を有する光学装置の視度調整システムであって、光学装置と、眼鏡に付され、眼鏡の使用者が眼鏡を装用した状態で接眼部に接眼する際の視度に関する視度情報を記憶する記憶媒体と、を備え、光学装置は、眼鏡と光学装置とが近接した場合に、記憶媒体から視度情報を取得する通信手段と、通信手段により取得された視度情報に基づいて接眼部の視度を調整する視度調整手段と、を有することを特徴とする。
請求項６に記載の発明による視度調整システムは、ファインダを有するカメラの視度調整システムであって、カメラと、眼鏡に付され、眼鏡の使用者が眼鏡を装用した状態でファインダに接眼する際の視度に関する視度情報を記憶する記憶媒体と、を備え、カメラは、眼鏡とカメラとが近接した場合に、記憶媒体から視度情報を取得する通信手段と、通信手段により取得された視度情報に基づいてファインダの視度を調整する視度調整手段と、を有することを特徴とする。
【発明の効果】
【０００６】
本発明によれば、接眼部の視度を自動で調整できる。
【図面の簡単な説明】
【０００７】
【図１】視度調整システムの概要を説明する図である。
【図２】ＩＣタグの配置例を説明する図である。
【図３】デジタルカメラの背面図である。
【図４】デジタルカメラとＩＣタグの構成を説明するブロック図である。
【図５】登録モードに関する処理の流れを説明する図である。
【図６】撮影モードに関する処理の流れを説明する図である。
【発明を実施するための形態】
【０００８】
以下、図面を参照して本発明の一実施形態について説明する。図１は、本実施形態による視度調整システム１０の概要を説明する図である。視度調整システム１０は、デジタルカメラ２０のファインダの視度を自動で調整するシステムであり、デジタルカメラ２０と、使用者１の眼鏡２に付されるＩＣタグ３０とから構成される。ＩＣタグ３０には、使用者１が眼鏡２を装用している場合に適したファインダの視度を示す視度情報が記憶される。使用者１がファインダを覗くことにより眼鏡２がデジタルカメラ２０に近接すると、デジタルカメラ２０は、眼鏡２に付されたＩＣタグ３０から近距離無線通信（ＮＦＣ：Near Field Communication）によって上記視度情報を取得し、この視度情報に基づいてファインダの視度を自動で調整するようになっている。
【０００９】
図２は、ＩＣタグ３０の配置例を説明する図である。ＩＣタグ３０は、眼鏡２において、使用者がファインダを覗く際にデジタルカメラ２０に近接する位置に、少なくとも１つ以上設けられればよい。ＩＣタグ３０は、たとえば、眼鏡２のフレームの左右のリムにおける上部中央の位置４１Ｌ，４１Ｒ、左右のリムとテンプルのつなぎ目の位置４２Ｌ，４２Ｒ、左右のテンプルにおける使用者１の目に近接する位置４３Ｌ，４３Ｒの少なくともいずれかの位置に設けられればよい。なお、ＩＣタグ３０は、眼鏡２のフレームに予め埋め込まれていてもよいし、眼鏡２を購入した後で別売りのＩＣタグ３０を眼鏡２に装着するようにしてもよい。
【００１０】
図３は、デジタルカメラ２０の背面図である。デジタルカメラ２０の背面の上部には、ファインダを覗くためのファインダ接眼窓２１１や、使用者が手動でファインダの視度を調整するための視度調整ダイヤル２１２などが設けられている。
【００１１】
図４は、デジタルカメラ２０とＩＣタグ３０の構成を説明するブロック図である。デジタルカメラ２０は、ＣＰＵ２０１、メモリ２０２、撮像レンズ２０３、撮像素子２０４、リーダライタ部２０５、操作部材２０６、およびファインダユニット２１０を含む。
【００１２】
ＣＰＵ２０１は、メモリ２０２に記憶されたプログラムを実行することにより、デジタルカメラ２０全体の動作を制御する。メモリ２０２には、ＳＤＲＡＭやフラッシュメモリが含まれる。ＳＤＲＡＭは、揮発性のメモリであって、ＣＰＵ２０１がプログラム実行時にプログラムを展開するためのワークメモリとして使用されたり、データを一時的に記録するためのバッファメモリとして使用されたりする。また、フラッシュメモリは、不揮発性のメモリであって、ＣＰＵ２０１が実行するプログラムのデータや、プログラム実行時に読み込まれる種々のパラメータなどが記録されている。
【００１３】
撮像レンズ２０３は、ズームレンズやフォーカシングレンズを含む複数のレンズ群で構成され、被写体像を撮像素子２０４の受光面に結像させる。なお、図４を簡単にするため、撮像レンズ２０３を単レンズとして図示している。撮像素子２０４は、たとえばＣＭＯＳ撮像素子などのイメージセンサであり、撮像レンズ２０３により結像した被写体像を撮像して、得られた画像信号をＣＰＵ２０１へ出力する。
【００１４】
ＣＰＵ２０１は画像処理部を含み、デジタル画像データに対してホワイトバランス処理などの画像処理を行う他、画像処理後の画像データを所定の形式で圧縮する圧縮処理、圧縮された画像データを伸長する伸長処理などを行う。
【００１５】
操作部材２０６は、使用者によって操作される種々の入力部材、たとえば電源ボタン、シャッターボタン、後述する登録ボタン、モード切り替えボタンなどを含み、各入力部材の操作に応じた操作信号をＣＰＵ２０１へ出力する。
【００１６】
ファインダユニット２１０は、いわゆる電子ビューファインダ（ＥＶＦ）を構成する。ファインダユニット２１０は、液晶表示素子２１３、接眼レンズ２１４、視度調整部２１５、ファインダ接眼窓２１１、および視度調整ダイヤル２１２を含む。液晶表示素子２１３は、ＣＰＵ２０１の制御のもと、撮像素子２０４により撮像された画像や撮影に関する各種情報などを表示する。使用者は、ファインダ接眼窓２１１から、接眼レンズ２１４を介して、液晶表示素子２１３の表示画面を視認することができる。本説明では、ファインダユニット２１０の液晶表示素子２１３に画像や文字などを表示することを「ファインダに表示する」と述べたり、使用者がファインダ接眼窓２１１から液晶表示素子２１３を視認することを「ファインダを覗く」と述べたりする。
【００１７】
視度調整部２１５は、視度調整ダイヤル２１２またはＣＰＵ２０１からの指示に応じて、接眼レンズ２１４を光軸方向に移動することにより、ファインダの視度を調整する。なお、接眼レンズ２１４に液体レンズを設け、液体レンズの光学特性を変化させることで、ファインダの視度を調整するようにしてもよい。
【００１８】
リーダライタ部２０５は、アンテナを含み、ＣＰＵ２０１からの指示に応じて、当該アンテナを介してＩＣタグ３０から情報を読み取ったり、ＩＣタグ３０に情報を書き込んだりする。また、リーダライタ部２０５は、ファインダ接眼窓２１１の近傍に設けられており、眼鏡を装用した使用者がファインダ接眼窓２１１を覗いた際に、眼鏡に付されたＩＣタグ３０から情報を読み取ったり書き込んだりできるようになっている。
【００１９】
ＩＣタグ３０は、ＩＣチップから成る不揮発性のメモリ３０１と、情報送受信用のアンテナ３０２とを含む。ＩＣタグ３０は、メモリ３０１に書き込まれている情報をアンテナ３０２から送信したり、アンテナ３０２から受信した情報をメモリ３０１に記憶したりすることができる。本実施形態におけるＩＣタグ３０は、たとえばパッシブ型であり、デジタルカメラ２０のリーダライタ部２０５のアンテナから発信される電波による電磁誘導によって動作可能であるため、電池は内蔵していない。
【００２０】
図５は、視度調整システム１０においてＩＣタグ３０に視度情報を登録する処理の流れを説明するフローチャートである。たとえば、使用者によって不図示のモード切り替えボタンが操作されることにより、ＩＣタグ３０に視度情報を登録するＩＣタグ登録モードに切り替えられると、ＣＰＵ２０１は、図５に示す処理を実行するプログラムを起動する。
【００２１】
ステップＳ１において、ＣＰＵ２０１は、使用者により不図示の登録ボタンが押下されたか否かを判定する。ＣＰＵ２０１は、上記登録ボタンが押下されるまでステップＳ１の処理を繰り返し、上記登録ボタンが押下されるとステップＳ１を肯定判定してステップＳ２へ進む。
【００２２】
このとき使用者は、視度情報を登録したい眼鏡を装用した状態でデジタルカメラ２０のファインダを覗きながら、視度調整ダイヤル２１２を操作して、ファインダの視度を調整する。使用者は、ファインダを見やすい視度に調整したら、不図示の登録ボタンを押下する。
【００２３】
ステップＳ２において、ＣＰＵ２０１は、眼鏡がデジタルカメラ２０に近接しているか否かを判定する。使用者が眼鏡を装用した状態でファインダを覗いていることにより、リーダライタ部２０５において当該眼鏡に付されたＩＣタグ３０が認識される場合には、ＣＰＵ２０１は、ステップＳ２を肯定判定してステップＳ３へ進む。一方、ＣＰＵ２０１は、リーダライタ部２０５においてＩＣタグ３０が認識されない場合はステップＳ２を否定判定し、ＩＣタグ３０が認識されるまでステップＳ２の処理を繰り返す。
【００２４】
ステップＳ３において、ＣＰＵ２０１は、リーダライタ部２０５に、上記登録ボタンが押下された時点でのファインダの視度を示す視度情報を、眼鏡に付されたＩＣタグ３０のメモリ３０１に書き込む処理を行わせ、図５の処理を終了する。これにより、使用者が眼鏡を装用した場合に適したファインダの視度を示す視度情報がＩＣタグ３０に記憶される。なお、ＩＣタグ３０には、左目および右目のうち、使用者が普段ファインダを覗く際に使用する目に適した視度情報が記憶されることとなる。
【００２５】
また、デジタルカメラ２０には、ファインダの視度のデフォルト値を登録できるようにもなっている。デジタルカメラ２０では、デフォルト値として、使用者が裸眼の場合（眼鏡を装用していない場合）に適したファインダの視度を登録することにより、使用者が裸眼の場合にも見やすい視度でファインダを視認することができる。
【００２６】
使用者が裸眼の場合に適したファインダの視度をデフォルト値として登録したい場合には、たとえば不図示のモード切り替えボタンを操作して、デフォルト値登録モードに切り替える。そして、裸眼のままデジタルカメラ２０のファインダを覗きながら、視度調整ダイヤル２１２を操作して、ファインダの視度を調整し、見やすい視度に調整したら、不図示の登録ボタンを押下する。すると、デジタルカメラ２０のＣＰＵ２０１は、登録ボタンが押下された時点でのファインダの視度をデフォルト値として設定し、メモリ２０２に記憶させる。
【００２７】
図６は、視度調整システム１０において自動でデジタルカメラ２０のファインダの視度を調整する処理の流れを説明するフローチャートである。たとえば、使用者に不図示のモード切り替えボタンが操作されることにより、撮影モードに切り替えられると、ＣＰＵ２０１は、図６に示す処理を実行するプログラムを起動する。なお、撮影モードにおいて、図６に示す処理は繰り返し行われる。また、撮影モードの開始時において、ファインダの視度は、メモリ２０２に記憶されたデフォルト値に調整される。すなわち、デフォルト値として使用者が裸眼である状態に適した視度が登録されている場合、ファインダの視度は、使用者が裸眼である状態に適した視度に調整される。
【００２８】
ステップＳ１１において、ＣＰＵ２０１は、眼鏡がデジタルカメラ２０に近接しているか否かを判定する。使用者が眼鏡を装用した状態でファインダを覗いていることにより、リーダライタ部２０５において当該眼鏡に付されたＩＣタグ３０が認識される場合には、ＣＰＵ２０１は、ステップＳ１１を肯定判定してステップＳ１２へ進む。一方、使用者が裸眼でファインダを覗いていることにより、リーダライタ部２０５においてＩＣタグ３０が認識されない場合には、ＣＰＵ２０１は、ステップＳ１１を否定判定してステップＳ１４へ進む。
【００２９】
ステップＳ１２において、ＣＰＵ２０１は、リーダライタ部２０５に、ＩＣタグ３０から視度情報を読み取る処理を行わせ、ステップＳ１３へ進む。
【００３０】
ステップＳ１３において、ＣＰＵ２０１は、視度調整部２１５に、ステップＳ１２で取得した視度情報が示す視度となるようにファインダの視度を調整する処理を行わせ、ステップＳ１４へ進む。これにより、デジタルカメラ２０のファインダは、使用者が眼鏡を装用した状態に適した視度に調整される。
【００３１】
ステップＳ１４において、ＣＰＵ２０１は、不図示のシャッターボタンが押下されたか否かを判定する。シャッターボタンが押下されていない場合は、ＣＰＵ２０１は、ステップＳ１４を否定判定して、ステップＳ１１へ戻る。一方、シャッターボタンが押下されると、ＣＰＵ２０１は、ステップＳ１４を肯定判定してステップＳ１５へ進む。
【００３２】
ステップＳ１５において、ＣＰＵ２０１は、撮像素子２０４に被写体像を撮像させ、撮像された画像を不図示の記録媒体に記録する撮影処理を行って、図６の処理を終了する。
【００３３】
このように、デジタルカメラ２０では、使用者が眼鏡を装用した状態でファインダを覗いた場合は、眼鏡に付されたＩＣタグ３０から読み取った視度情報に基づいてファインダの視度が調整されるので、使用者は眼鏡を装用した状態に適した視度でファインダを覗くことができる。一方、使用者が裸眼でファインダを覗いた場合はファインダの視度がデフォルト値のままとされるので、使用者は裸眼に適した視度でファインダを覗くことができる。
【００３４】
また、複数種類の眼鏡を使用する使用者の場合には、各眼鏡において図５の処理を実行させてＩＣタグ３０に視度情報を登録しておくことで、デジタルカメラ２０は、使用者が装用する眼鏡を変えても、その都度、装用している眼鏡に適した視度にファインダの視度を自動で調整することができる。したがって、たとえば、眼鏡を変えるたびに視度調整ダイヤル２１２で視度を調整したり、眼鏡ごとの視度情報をデジタルカメラ２０に記憶させておいて使用する際に呼び出したり、といった煩雑な操作をユーザに行わせることなく、見やすい視度でユーザにファインダを視認させることができる。
【００３５】
また、複数の使用者がデジタルカメラ２０を共用する場合には、各使用者の眼鏡において図５の処理を実行させてＩＣタグ３０に視度情報を登録しておくことで、デジタルカメラ２０は、使用者が変わっても、その都度、使用者に適した視度にファインダの視度を自動で調整することができる。
【００３６】
また、眼鏡に付されたＩＣタグ３０に視度情報を登録しておけば、その後、視度情報の登録処理を行ったデジタルカメラ２０とは異なるデジタルカメラであっても、そのファインダを覗くだけで、自動で視度を調整することができる。したがって、たとえば、店頭で複数のデジタルカメラを見比べるときに、１つずつ視度調整ダイヤルを用いて手動で視度を調整するという手間がかからずに、複数のデジタルカメラを試用することができる。
【００３７】
以上説明した実施形態によれば、次の作用効果が得られる。
（１）視度調整システム１０は、デジタルカメラ２０と、眼鏡に付され、眼鏡の使用者が眼鏡を装用した状態でファインダに接眼する際の視度に関する視度情報を記憶するＩＣタグ３０と、を備え、デジタルカメラ２０は、眼鏡２とデジタルカメラ２０とが近接した場合に、ＩＣタグ３０から視度情報を取得するリーダライタ部２０５と、当該視度情報に基づいてファインダの視度を調整する視度調整部２１５と、を有する。これにより、眼鏡を装用した使用者が見やすい視度に、自動でファインダの視度を調整することができる。
【００３８】
（２）視度調整システム１０において、デジタルカメラ２０は、使用者がファインダの視度を調整するための視度調整ダイヤル２１２をさらに有し、リーダライタ部２０５は、視度調整ダイヤル２１２により調整されたファインダの視度を、視度情報としてＩＣタグ３０に書き込むようにした。これにより、使用者は実際にデジタルカメラ２０のファインダを覗きながら視度調整ダイヤル２１２で所望の視度に調整でき、その視度をＩＣタグ３０に記憶させることができる。したがって、これ以降、使用者は、煩雑な操作を行うことなく、所望の視度でデジタルカメラ２０のファインダを視認することができる。
【００３９】
（３）視度調整システム１０において、デジタルカメラ２０は、ファインダの視度のデフォルト値を記憶するメモリ２０２をさらに有し、ＣＰＵ２０１は、リーダライタ部２０５により視度情報が取得された場合は、視度情報に基づいてファインダの視度を調整し、リーダライタ部２０５により視度情報が取得されない場合は、デフォルト値に基づいてファインダの視度を調整するようにした。これにより、デフォルト値として裸眼に適した視度情報をメモリ２０２に記憶させておくことで、使用者が裸眼でファインダを覗いた場合は裸眼に適した視度でファインダを覗くことができる。一方、使用者が眼鏡を装用した状態でファインダを覗いた場合は、使用者は眼鏡を装用した状態に適した視度でファインダを覗くことができる。
【００４０】
（変形例１）
使用者が色弱者である場合、色によっては、ファインダに表示される記号や文字などの各種情報が見づらい可能性がある。そこで、デジタルカメラ２０は、ファインダに表示した各種情報の表示色や画面の背景色などを色弱者が見やすいように調整するようにしてもよい。この場合、色弱の種類によって見づらい色が異なるので、使用者ごとに色の調整を行えるよう、色弱の種類をＩＣタグ３０に記憶しておくようにする。
【００４１】
変形例１では、たとえば、デジタルカメラ２０に色覚検査モードを設ける。色覚検査モードにおいて、ＣＰＵ２０１は、色覚検査用の設問をファインダに表示する。使用者は、眼鏡を装用した状態でファインダを覗いて色覚検査用の設問を確認し、操作部材２０６を操作して色覚検査用の設問に対する回答を入力する。色覚検査用の設問は、たとえば公知の色覚検査表に基づいて予め生成し、メモリ２０２に記憶させておけばよい。ＣＰＵ２０１は、使用者により入力された回答に基づいて、使用者の色弱の種類を判別する。ＣＰＵ２０１は、判別した色弱の種類を示す色弱情報を、使用者が装用する眼鏡に付されたＩＣタグ３０に書き込む。
【００４２】
撮影モードにおいて、ＣＰＵ２０１は、使用者が眼鏡を装用した状態でファインダを覗いていることにより、リーダライタ部２０５において当該眼鏡に付されたＩＣタグ３０が認識されると、ＩＣタグ３０から色弱情報を読み取る。ＣＰＵ２０１は、色弱情報が示す色弱の種類に基づいて、その種類の色弱者が見やすい色となるように、ファインダに表示する各種情報の色(記号や文字の色や画面の背景色)などを調整する。
【００４３】
このように、デジタルカメラ２０では、眼鏡に付されたＩＣタグ３０から読み取った色弱情報に基づいてファインダの表示情報の色を自動で調整するので、使用者は、デジタルカメラ２０を使用する使用者が変わるたびに手動で色弱用の設定を行うなど煩雑な操作を行うことなく、見やすい色でファインダの表示情報を確認することができる。
【００４４】
（変形例２）
上述した実施の形態では、ＩＣタグ３０にファインダの視度情報を記憶させる例について述べたが、視度情報に加えて、使用者が所望の設定を行うための情報を記憶させるようにしてもよい。
【００４５】
変形例２の場合、たとえば、デジタルカメラ２０に設定登録モードを設ける。設定登録モードにおいて、ＣＰＵ２０１は、各種設定を行うための設定画面をファインダに表示する。各種設定とは、デジタルカメラ２０が有する各種機能に係る設定であり、たとえばファインダに表示する文字の大きさの大小や、初心者用の撮影設定、上級者用の撮影設定などである。初心者用の撮影設定とは、たとえば自動露出モードをプログラムＡＥモードにしたり、ホワイトバランスの設定モードをオートホワイトバランスモードにしたりする設定である。一方、上級者用の撮影設定とは、たとえば自動露出モードをマニュアルＡＥモードにしたり、ホワイトバランスの設定モードをプリセットホワイトバランスモードにしたりする設定である。
【００４６】
使用者は、眼鏡を装用した状態でファインダを覗いて上記設定画面を確認し、操作部材２０６を操作して各種設定を行う。ＣＰＵ２０１は、使用者により設定された内容を示す設定情報に識別番号を付与し、当該設定情報と当該識別番号とを対応付けてメモリ２０２に記憶させる。そしてＣＰＵ２０１は、当該識別番号を、使用者が装用する眼鏡に付されたＩＣタグ３０に書き込む。
【００４７】
撮影モードにおいて、ＣＰＵ２０１は、使用者が眼鏡を装用した状態でファインダを覗いていることにより、リーダライタ部２０５において当該眼鏡に付されたＩＣタグ３０が認識されると、ＩＣタグ３０から上記設定情報の識別番号を読み取る。ＣＰＵ２０１は、メモリ２０２を参照して識別番号に対応する設定情報を読み出し、読み出した設定情報に基づいて各種設定を行う。
【００４８】
このように、デジタルカメラ２０では、眼鏡に付されたＩＣタグ３０から読み取った識別番号に基づいて各種設定を自動で行うので、使用者は、デジタルカメラ２０を使用する使用者が変わるたびに手動で各種設定を行うなど煩雑な操作を行うことなく、使用者自身がＩＣタグ３０に登録しておいた所望の設定でデジタルカメラ２０を使用することができる。
【００４９】
（変形例３）
上述した実施の形態では、デジタルカメラ２０からＩＣタグ３０に視度情報を書き込む例について述べた。しかしながら、デジタルカメラ２０に限らず、この他のリーダライタ装置を用いてＩＣタグ３０に視度情報を書き込んでもよい。たとえば、眼鏡店で眼鏡を購入したときに、眼鏡店に設置されたリーダライタ装置が、使用者の視力と眼鏡のパワーとに基づいて必要なファインダの視度補正値を算出し、その視度補正値を眼鏡に付されたＩＣタグ３０に書き込むようにしてもよい。
【００５０】
また、使用者の視力が変わった場合には、それに適したファインダの視度も変わるので、たとえば、眼鏡店で視力を検査したときに、眼鏡店に設置されたリーダライタ装置が、使用者の新たな視力と眼鏡のパワーとに基づいて必要なファインダの視度補正値を算出し、眼鏡に付されたＩＣタグ３０に書き込まれた視度補正値の内容を当該算出した視度補正値に書き換えるようにしてもよい。
【００５１】
（変形例４）
上述した実施の形態では、左目および右目のうち、使用者が普段ファインダを覗く際に使用する目に適した視度情報がＩＣタグ３０に記憶される例について説明した。しかしながら、たとえば、眼鏡フレームの左部分に付されたＩＣタグ３０に左目用の視度情報を記憶させ、眼鏡フレームの右部分に付されたＩＣタグ３０に右目用の視度情報を記憶させるようにしてもよい。これにより、使用者がデジタルカメラ２０のファインダを覗く際に左目を使用する場合には、眼鏡フレームの左部分に付されたＩＣタグ３０がデジタルカメラ２０に近接するので、リーダライタ部２０５は、当該ＩＣタグ３０から左目用の視度情報を取得することができる。同様に、使用者がデジタルカメラ２０のファインダを覗く際に右目を使用する場合には、眼鏡フレームの右部分に付されたＩＣタグ３０がデジタルカメラ２０に近接するので、リーダライタ部２０５は、当該ＩＣタグ３０から右目用の視度情報を取得することができる。したがって、デジタルカメラ２０は、使用者がファインダを覗く際に左目と右目のどちらを使用しても、適切に視度を調整することができる。
【００５２】
（変形例５）
上述した実施の形態では、電子ビューファインダの視度を調整する例について述べたが、光学ファインダを有するデジタルカメラにおいて、光学ファインダの視度を調整する場合に本発明を適用してもよい。
【００５３】
（変形例６）
上述した実施の形態では、デジタルカメラ２０のファインダの視度を調整する例について説明したが、この他の接眼部を有する光学装置（たとえば、双眼鏡や顕微鏡など）の視度を調整する際に本発明を適用するようにしてもよい。
【００５４】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００５５】
１０…視度調整システム、２０…デジタルカメラ、３０…ＩＣタグ、２０１…ＣＰＵ、２０２…メモリ、２０３…撮像レンズ、２０４…撮像素子、２０５…リーダライタ部、２０６…操作部材、２１０…ファインダユニット、２１２…視度調整ダイヤル、２１３…液晶表示素子、２１４…接眼レンズ、２１５…視度調整部、３０１…メモリ、３０２…アンテナ
【図１】
2014232158.tif 000003
【図２】
2014232158.tif 000004
【図３】
2014232158.tif 000005
【図４】
2014232158.tif 000006
【図５】
2014232158.tif 000007
【図６】
2014232158.tif 000008